(57)【特許請求の範囲】
【請求項１】
加湿手段と該加湿手段の加湿能力を変える加湿能力可変手段とを備え、該加湿能力可変手段によって上記加湿手段の加湿能力を所望の大きさに調節できるようにしてなる加湿器であって、上記加湿能力可変手段は、建物の種類と部屋の種類を相互に対応させて幾つかの様式モードに分類し、これら各様式モード毎の畳数との関係における最適な定格加湿能力を調節設定するように構成されているとともに、当該各様式モードに応じた定格加湿能力の調節設定は、所定の様式モードの所定の定格加湿能力を基準とし、該基準となる定格加湿能力を所定の補正係数により補正することによって他の様式モードの加湿能力とするように構成されていることを特徴とする加湿器。
【発明の詳細な説明】
【０００１】
【発明の属する技術分野】
【０００２】
本願発明は、空気中に蒸気を放出して空気中の湿度を高めるようにした加湿器に関するものである。
【従来の技術】
【０００３】
最近では、室内の空気を加湿するために用いられる加湿器として、各種のタイプのものが開発されている。これらの加湿器は、その蒸気発生メカニズムには差があるが、何れにしても発生した水蒸気を部屋等の居住空間に放出することにより同空間中の空気の加湿を行うようになっている。
【０００４】
そして、これまでの加湿器の場合、製品毎に定格加湿能力（ＭＡＸｍＬ／ｈ）が決まっており、その能力範囲内において、加湿能力を例えば強、中、弱と複数の段階に調節設定することができるようになっている。したがって、この能力調節機能を利用すれば、例えば設置される部屋の大きさに対応した加湿能力の調整が一応可能となる。
【発明が解決しようとする課題】
【０００５】
しかし、上記従来の加湿器の場合、上記加湿能力の調整機能は、必ずしも部屋の大きさ（畳数）に対応して正確に調節することを主眼としたものではなく、単に単位時間当りの加湿能力の調整を行うものにすぎないため、何の程度の大きさの部屋に何の程度の加湿能力が適切なのかは、ユーザーにとって、はっきりとは分からない。
【０００６】
また一方、設定された目標湿度を適切に実現するためには、上述のような部屋の大きさだけではなく、畳数が同じでも吸湿性や通気性が大きく相違する建物の種類（例えば木造・プレハブ・集合住宅など）や部屋の種類（例えば和室・洋室など）をも考慮して正確に加湿能力を設定しなければならない。しかし、従来、このような建物や部屋の種類（様式）に応じた対応は、必ずしも適切になされていない。このため、ケースによっては、過加湿や加湿不足などの現象を招いている。
【０００７】
なお、これまでにも製品によっては、一応の目安として建物および部屋の種類や適用床面積と加湿能力（調節レベル）との対応関係を概略的に取扱説明書中に記述したものも見られるが、操作パネル面の表示部を含めて製品本体側では、そのような対応関係が分かるようになってはいない。
【０００８】
本願発明は、このような事情に鑑み、上述のような建物と部屋の種類（様式）を相互に対応させて幾つかの様式モードに分類し、これら各様式モード毎の畳数との関係における最適な定格加湿能力を容易に調節設定できるようにした高性能の加湿器を提供することを目的とするものである。
【課題を解決するための手段】
【０００９】
本願発明は、上記の目的を達成するために、次のような課題解決手段を備えて構成されている。
【００１０】
（１）  請求項１の発明
この発明の加湿器は、加湿手段と該加湿手段の加湿能力を変える加湿能力可変手段とを備え、該加湿能力可変手段によって上記加湿手段の加湿能力を所望の大きさに調節できるようにしてなる加湿器であって、上記加湿能力可変手段は、建物の種類と部屋の種類を相互に対応させて幾つかの様式モードに分類し、これら各様式モード毎の畳数との関係における最適な定格加湿能力を調節設定するように構成されているとともに、当該各様式モードに応じた定格加湿能力の調節設定は、所定の様式モードの所定の定格加湿能力を基準とし、該基準となる定格加湿能力を所定の補正係数により補正することによって他の様式モードの加湿能力とするように構成されている。
【００１１】
したがって、該構成では、例えば幾つかの様式モードの内の所望の様式モードを選択し、その畳数を設定すれば、その様式モードでの対応する部屋の畳数に適した最適な加湿能力が自動的に調節設定されることになる。
【００１２】
また、その場合において、上記各様式モードに応じた定格加湿能力の調節設定は、上記所定の様式モードの所定の定格加湿能力を基準とし、該基準となる定格加湿能力を所定の補正係数により補正することによって他の様式モードの加湿能力とするように構成されている。
【００１３】
したがって、該構成では、要するに加湿能力と畳数との相関データとしては、上記基準となる所定の様式モードの相関データのみを基準データとして記憶させておくだけで、他の様式モードの定格加湿能力を容易に調節設定できることになる。
【００１４】
もちろん、１部の例外については、別の例外データマップとして記憶させておけばよい。
【発明の効果】
【００１５】
したがって、本願発明の加湿器によると、１台の加湿器で、各種の建物様式および部屋様式、部屋の大きさ等に適切に対応することができ、それらの各々に対して最適な加湿能力を簡単かつ低コストに設定することができる。
【発明の実施の形態】
【００１６】
以下、添付の図１〜図７を参照して、本願発明の実施の形態に係る加湿器の構成について説明する。
【００１７】
（加湿器本体の構成）
この加湿器は、先ず図１および図２に示すように、前面側に位置する給水部２と該給水部２の背面側に隣接する水蒸気発生部３とを有する加湿器本体１を備えている。該加湿器本体１は、上面を形成する合成樹脂製の蓋カバー４と、側面を形成する円筒状の耐熱合成樹脂製の本体ケース５と、該本体ケース５の下端側開口面部を閉塞する合成樹脂製の底ケース６とからなっており、前記蓋カバー４は、前記本体ケース５に対して着脱自在とされている。
【００１８】
前記給水部２は、取り外し自在な給水タンク７と、該給水タンク７内から供給される水Ｗを一時的に貯溜する貯溜容器８とを備えている。
【００１９】
前記給水タンク７は、透明あるいは半透明の合成樹脂からなるタンク本体９と、該タンク本体９の給水用開口部１０に対して螺着脱自在とされる給水キャップ１１とを備えて構成されている。該給水キャップ１１には、給水弁１３が付設された給水ノズル１２が設けられている。前記給水弁１３は、給水ノズル１２内に架設された軸受１４に対して上下摺動可能に支持されており、図示しないスプリングによって閉弁方向に付勢されている。
【００２０】
前記貯溜容器８は、前記本体ケース５の上下方向中間部に一体形成された支持壁５ａにより構成されており、その中央には、円筒状の突部１６が一体に形成されている。そして、前記給水タンク７のセット時においては、該突部１６に対して給水タンク７の給水ノズル１２が外挿され、給水弁１３が同突部１６によって押し上げられて開弁状態となるようになっている。そして、この状態においては、前記給水ノズル１２の先端よりも、やや上方位置に水位が保持される。
【００２１】
一方、前記水蒸気発生部３は、水Ｗを加熱する加熱タンク部１７を備えている。該加熱タンク部１７は、前記本体ケース５の支持壁５ａを利用して前記貯溜容器８部分に連続するように形成された底部１７ａと、該底部１７ａに対して着脱自在に載置される略円筒形状のカバー部１７ｂとからなっており、該カバー部１７ｂの下端には、前記貯溜容器８との連通孔１８（図示の断面位置では直接見えない）が形成されている。
【００２２】
前記加熱タンク部１７の水位と前記貯溜容器８の水位とは同位とされており、前記加熱タンク部１７からの水蒸気発生によってその水位が低下し、貯溜容器８において給水タンク７の給水ノズル１２の下端より低位となると、前記給水タンク７からの水の補給がなされる。
【００２３】
前記加熱タンク部１７の下方側には、前記支持壁５ａの周縁部に対してビス１９により固定された断面ハット型のヒータプレート２０が配置されており、該ヒータプレート２０の内側には、電源端子２１ａ，２１ｂを有してＡＣ電源に接続される電熱ヒータ２１が配置されている。また、該電熱ヒータ２１の下方には、さらに遮熱板２２が設けられている。さらに、該遮熱板２２の下方には、図示はしていないが制御基板が設けられている。
【００２４】
そして、前記電熱ヒータ２１により、前記加熱タンク部１７内の水Ｗが蒸発するように加熱されるようになっている。
【００２５】
また、前記加熱タンク部１７の底部１７ａには、これも図示はしていないが、加熱タンク部１７の温度を検出する温度センサーが取り付けられている。該温度センサーからの温度検出情報は、後述するマイクロコンピュータユニット２７（以下、単にマイコンユニット２７と略称する）に入力される。
【００２６】
前記加熱タンク部１７の一部を構成する上方側加熱タンク部１７のカバー部１７ｂの上部には、その上端側天板部に水蒸気排出口３２，３２・・を有する蒸気排出筒３３が着脱自在に取り付けられている。該蒸気排出筒３３内には、さらに前記加熱タンクカバー部１７ｂの天板部に設けられ、例えばアロマオイル等のテラピー剤が収納される漏斗状容器３４と、ハーブ等の芳香剤Ｆを収納する芳香剤収納部３５とが設けられている。このような構成の場合、例えば蓋カバー４を取り外して、蒸気排出筒３３を取り外せば、アロマスオイルや芳香剤Ｆの交換を容易に行うことができる。また符号３６は加熱タンクカバー部１７ｂの天面に形成された蒸気流通孔、３７は芳香剤収納部３５の底部に形成された蒸気流通孔である。
【００２７】
ところで、前記遮熱板２２の制御基板下方部には、上記のように図示しない制御基板があり、同制御基板上には前記電熱ヒータ２１を駆動する電源回路や制御回路が設けられている。そして、この制御基板上に配設された各種の電気部品は、前記電熱ヒータ２１の作動中に発熱するため、これを冷却する必要がある。
【００２８】
そこで、例えば図２に示すように、前記給水部２の下方であって前記貯溜容器８の側方には、それら各種の電気部品を冷却するための冷却風Ａを得るための送風機３８が配設されている。該送風機３８は、例えば駆動源であるファンモータ３９により回転駆動される多翼遠心羽根車と、該多翼遠心羽根車を被包するスクロールタイプのファンケーシングとからなっており、該ファンケーシングの吐出口は、前記加熱タンク部１７の下方空間（即ち、前記制御基板部分）の方向に向かって開口されている。該送風機３８からの冷却風Ａは、先ず前記加熱タンク部１７の下方空間を通る過程で特に前記制御基板のヒートシンクを有効に冷却し、その後支持壁５ａに形成された連通口（図示省略）を通って前記加熱タンクカバー部１７ｂの一側方に形成された空気導入室４１に入り、該空気導入室４１から空気導入口４２を介して加熱タンク部１７内に導入されて、該加熱タンク部１７内において発生する水蒸気Ｓと合流することとなっている。このようにすると、１個の送風機３８で、発熱する各種電気部品の冷却と、加熱タンク部１７において発生する水蒸気Ｓの温度降下とを併せて行うことができる。
【００２９】
なお、前記本体ケース５には、前記給水タンク７内の水位を見通せる水位表示窓４３が形成されている。また符号４４は加湿器を持ち運ぶための把手である。
【００３０】
また、前記本体ケース５の外面には、該本体ケース５の前面側から側面側にかけての部分（換言すれば、給水タンク７の前面側および側面側の一部に対応する部分）を覆うＡＢＳ樹脂等からなる断熱カバー４５が着脱自在に取り付けられている。
【００３１】
前記断熱カバー４５には、前記本体ケース５に形成された水位表示窓４３に対応する覗窓４６が形成されている。また、この断熱カバー４５の前面側下部内面には、操作スイッチ類を備えた操作基板４７が取り付けられている。該操作基板４７は、前記断熱カバー４５の下部内面に突設された取付用ボス４８に対してビス４９で直接取り付けられている。
【００３２】
他方、前記断熱カバー４５の前面側中央部には、例えば図３に示すような操作パネル５０が設けられている。該操作パネル５０には、運転キー５１、タイマー設定キー５２、連続運転／タイマー運転を切換える運転切換キー５３、後述するような建物および部屋の様式モード（木造・和室、プレハブ・洋室、集合住宅・洋室など）を任意に切換えて選択する様式切換キ−５４、部屋の大きさを入力する畳数切換キ−５５、目標湿度を設定する湿度設定キー５６、各種設定状態をリセットするリセットキー５７等の各種操作キーに加え、さらに、設定時間表示、運転状態表示、現在の設定湿度表示（％）、建物および部屋の様式表示（例えば木造・和室、プレハブ・洋室、集合住宅・洋室など）、部屋の畳数表示（大きさ）、お手入れ表示、給水表示等の各種の表示を行う液晶表示部６０が設けられている。
【００３３】
（制御回路部の構成）
次に、図４に示す電気回路図に基づいて、本実施の形態にかかる加湿器における加湿制御回路の構成を説明する。なお、図１ないし図３において示された各部に対応する電気的要素には同一の参照符号を付して示す。
【００３４】
商用交流電源６１からの電力は、加熱タンク部１７の異常加熱を検知して溶断する温度ヒューズ６２を介して送風機３８のファンモータ３９に供給されるとともに、降圧トランス６４で降圧され、且つ整流器６５で整流されて、マイコンユニット２７に対してその電源として供給されるようになっている。また、前記商用交流電源６１からの電力は、マイコンユニット２７から電熱ヒータＯＮ信号が出力されて、リレーコイル駆動トランジスタ２８がＯＮになり、リレーコイル７１が駆動されると、リレースイッチ７０が閉じ、同リレースイッチ７０を介して電熱ヒータ２１に供給されるようになっている。
【００３５】
そして、上述した運転キー５１のＯＮ操作により、電源回路に電源が入ると、上記電熱ヒータ２１により、前記加熱タンク部１７内の水Ｗが加熱され、水蒸気Ｓが発生せしめられる。そして、該発生された水蒸気Ｓは、上述の蒸気排出筒３３を経て芳香等が付与された後に、水蒸気排出口３２から室内へ放出され、その放出量に応じて設定された目標湿度への室内空気の加湿が行われる。
【００３６】
（建物および部屋の種類や部屋の大きさに応じた最適加湿能力の設定制御）
すでに述べたように、これまでの加湿器の場合、製品毎に定格加湿能力（ＭＡＸｍＬ／ｈ）が決まっており、その能力範囲内において、例えば強（４００ｍＬ／ｈ）、中（２５０ｍＬ／ｈ）、弱（１５０ｍＬ／ｈ）と複数の段階に調節設定することができるようになっている。したがって、この能力調節機能を利用すれば、例えば設置される部屋の大きさ（畳数）に対応した加湿能力の調節設定が一応可能となる。
【００３７】
しかし、従来の加湿器の場合、この加湿能力の調節機能は、一応の目安にすぎず、必ずしも部屋の大きさ（畳数）に正確に対応して調節することを主眼としたものではなく、基本的には単位時間当りの加湿能力の調整を行うものにすぎないため、何の程度の大きさの部屋に何の程度の加湿能力が適切なのかは、はっきりとは分からない。
【００３８】
また一方、上記の設定された目標湿度を適切に実現するためには、上述のような部屋の大きさ（畳数）だけではなく、畳数が同じでも吸湿性や通気性が大きく相違する建物の種類（例えば木造・プレハブ・集合住宅など）や部屋の種類（例えば和室・洋室など）をも考慮して加湿能力を設定しなければならない。しかし、従来、このような建物の種類や部屋の種類に応じた対応は、なされていない。
【００３９】
なお、これまでも製品によっては、一応の目安として建物および部屋の種類や適用床面積と加湿能力（調節レベル）との対応関係を概略的に取扱説明書中に記述したものも見られるが、操作パネル面の表示部を含めて製品本体側では、そのような対応関係が分かるようにはなっていない。
【００４０】
そこで、この本願発明の実施の形態の構成では、このような事情に鑑み、上述のような建物の種類と部屋の種類を相互に対応させて幾つかの様式モードＮｏ１〜ＮｏＮ（例えばＮｏ１：「木造・和室」、Ｎｏ２：「プレハブ・洋室」、Ｎｏ３：「集合住宅・洋室」・・・ＮｏＮ「その他」）に分類し、これら各様式モードＮｏ１〜ＮｏＮ毎の畳数との関係における最適な定格加湿能力を調節設定できるようにしている。
【００４１】
この定格加湿能力の調節設定は、例えば吸湿性、通気性の良さから言って上記各様式モードＮｏ１〜ＮｏＮの中でも同一畳数下において最も大きな加湿能力が要求される様式モードＮｏ１：「木造・和室」の場合を基準に設定された最大定格加湿能力（基本加湿能力）を上記様式モードＮｏ１〜ＮｏＮ毎に設定した補正係数（様式モードＮｏ2〜ＮｏＮの畳数Ｎ2〜Ｎｎを様式モードＮｏ１の畳数Ｎ1に対応した畳数に変換する変換係数）Ｋ1〜Ｋｎにより低減補正するようになっている（例えば様式モードＮｏ２の場合Ｋ2＝３／５、様式モードＮｏ３の場合Ｋ3＝１／２に設定。但し、様式モードＮｏ１に対応した補正係数Ｋ1は本来補正が不要なため、Ｋ1＝１に設定されている）。
【００４２】
これは、次のような事情に基いている。
【００４３】
すなわち、一部の例外はあるが、例えば図６の定格加湿量と建物および部屋の種類（様式）・畳数とを比較すると、
（１）  様式モードＮｏ２の「プレハブ・洋室」の畳数に対してＫ2＝３／５を掛けると、ほぼ様式モードＮｏ１の「木造・和室」の畳数になる。
【００４４】
例１：例えば定格加湿能力３５０ｍＬ／ｈのとき、
１０畳×３／５＝６畳
例２：例えば定格加湿能力３００ｍＬ／ｈのとき、
８畳×３／５＝２４／５＝４．８≒５畳
（２）  様式モードＮｏ３の「集合住宅・洋室」の畳数にＫ3＝１／２を掛けると、ほぼ様式モードＮｏ１の「木造・和室」の畳数になる。
【００４５】
例１：例えば定格加湿能力２５０ｍＬ／ｈのとき、
８畳×１／２＝４畳
例２：例えば定格加湿能力４５０ｍＬ／ｈのとき、
１５畳×１／２＝７．５≒８畳
・・・・・となる。
【００４６】
このように建物および部屋の種類に応じた様式モードとして、例えばＮｏ２：「プレハブ・洋室」又はＮｏ３：「集合住宅・洋室」が選択されたときには、それぞれその様式モードの部屋の実際の畳数に対して各々上述の補正係数Ｋ2＝３／５，Ｋ3＝１／２を掛けたときに得られた畳数値とＮｏ１：「木造・和室」のときの畳数値とを比較して対応する加湿能力を決定し、運転すればよいことが分かる。
【００４７】
したがって、この実施の形態の構成では、要するに加湿能力と畳数との相関データとしては、例えば図７に示される様式モードＮｏ１の「木造・和室」の加湿量と畳数データのみを、「通常データマップ」として記憶させておくだけでよいことになる。
【００４８】
もちろん、１部の例外については、別の「例外データマップ」として記憶させておけばよい。
【００４９】
例えば様式モードＮｏ１の「木造・和室」で、８．５畳に対応する加湿能力が必要な場合などが、それである。
【００５０】
この場合、基本的に小数点以下は、四捨五入することになっているので、本来８．５という数字はでてこない。したがって、そのような加湿能力が必要な建物および部屋の様式と畳数が選択されたときは上記の例外となる。
【００５１】
さらに、上記の場合において、加湿能力を変化させる具体的な方法としては、例えば上述の電熱ヒータ２１への通電時間（ＯＮ／ＯＦＦ時間）を変えることで、単位時間当りの加湿量に大小をつけることができる。
【００５２】
例えば電熱ヒータ２１のフル通電（デューティー比１００％）にて加湿量が７００ｍＬ／ｈとすると、１０分間で電熱ヒータ２１をＯＮ／ＯＦＦと間欠運転することで、３５０ｍＬ／ｈの加湿能力とする。このように、間欠運転の時間を変えることで、容易に加湿能力の可変設定を行うことができる。
【００５３】
以下、このような観点から構成された本願発明の実施の形態における建物および部屋の種類や部屋の大きさに応じた最適加湿能力設定制御の方法について、図５のフローチャートを参照して詳細に説明する。
【００５４】
すなわち、先ず運転キー５１がＯＮ操作され、当該加湿器本体のマイコンユニット２７に電源が入ると、本制御をスタートする。
【００５５】
そして、先ず最初にステップＳ1で、上述の様式切換キー５４により選択された様式モードが、上記様式モードＮｏ１の「木造・和室」であるか否かを判定する。その結果、ＹＥＳと判定された時は、さらに続いてステップＳ2に進んで、上記畳数切換キー５５を使用して、当該部屋の畳数Ｎ1を入力する。その後、続くステップＳ4で同入力された畳数Ｎ1が上述した例外であるか否かを判断する。
【００５６】
他方、上記ステップＳ1でＮＯと判定された時は、さらにステップＳ3で様式モードＮｏ２の「プレハブ・洋室」であるか否か、それもＮＯである時は、さらにステップＳ9で様式モードＮｏ３の「集合住宅・洋室」であるか否かを、順次判定して行く。
【００５７】
そして、それぞれ続くステップＳ8，Ｓ12で各々畳数Ｎ2，Ｎ3を入力し、さらに続くステップＳ10，Ｓ13で同入力された畳数Ｎ2，Ｎ3が上述した例外であるか否かを各々判断する。
【００５８】
先ず最初に、上記ステップＳ1でＹＥＳのユーザーにより選択された様式モードが様式モードＮｏ１：「木造・和室」である場合において、上記ステップＳ2で入力された畳数Ｎ1が例外である時は、ステップＳ7に進んで上述した例外データマップから加湿量を選択して決定した後、最終的にステップＳ6で上述した電熱ヒータ２１のＯＮ／ＯＦＦ時間を決定して運転する。他方、同ステップＳ4でＮＯの入力された畳数Ｎ1が例外ではない時は、先ずステップＳ5に進んで、上述した通常のデータマップから加湿量を決定して、ステップＳ6で上述した電熱ヒータ２１のＯＮ／ＯＦＦ時間を決定して運転する。
【００５９】
次にステップＳ3でＹＥＳの様式モードＮｏ２：「プレハブ・洋室」である場合において、入力された畳数Ｎ2が例外である時は、上述のステップＳ7に進んで上述した例外データマップから加湿量を選択決定した後、最終的にステップＳ6で上記電熱ヒータ２１のＯＮ／ＯＦＦ時間を決定して運転する。他方、同ステップＳ10でＮＯの入力された畳数Ｎ2が例外ではない時は、先ずステップＳ11に進んで、Ｎ1＝３・Ｎ2／５として畳数Ｎ2を畳数Ｎ1に変換（補正）した上でステップＳ5に進み、上述した通常のデータマップから加湿量を決定して、ステップＳ6で電熱ヒータ２１のＯＮ／ＯＦＦ時間を決定して運転する。
【００６０】
また他方ステップＳ13でＹＥＳの様式モードＮｏ３：「集合住宅・洋室」である場合において、入力された畳数Ｎ3が例外である時は、上述のステップＳ7に進んで上述した例外データマップから加湿量を選択決定した後、最終的にステップＳ6で上記電熱ヒータ２１のＯＮ／ＯＦＦ時間を決定して運転する。他方、同ステップＳ13でＮＯの入力された畳数Ｎ3が例外ではない時は、先ずステップＳ14に進んで、Ｎ1＝Ｎ3／２として畳数Ｎ3を畳数Ｎ1に変換（補正）した上でステップＳ5に進み、上述した通常のデータマップから加湿量を決定した後、ステップＳ6で上記電熱ヒータ２１のＯＮ／ＯＦＦ時間を決定して運転する。
【図面の簡単な説明】
【００６１】
【図１】  本願発明の実施の形態にかかる加湿器の本体部分の構成を示す左側方から見た断面図である。
【図２】  同加湿器の本体部分の前方から見た断面図である。
【図３】  同加湿器の本体部分前面に設けられている操作パネル部の正面図である。
【図４】  同加湿器の制御回路の構成を示す電気回路図である。
【図５】  同加湿器の加湿能力設定制御の内容を示すフローチャートである。
【図６】  同加湿器の建物および部屋の種類等様式と定格加湿能力との関係を示すデータテーブル図である。
【図７】  同加湿器の木造・和室モードでの加湿量と畳数との関係を示す基本となるデータテーブル図である。
【符号の説明】
【００６２】
１は加湿器本体、２１は電熱ヒータ、２７はマイコンユニット、５０は操作パネル、５１は運転キー、５２はタイマーキー、５３は運転切換キー、５４は様式切換キー、５５は畳数切換キー、５６は湿度設定キー、６０は液晶表示部である。
【図１】
0003674540.tif 000002
【図２】
0003674540.tif 000003
【図３】
0003674540.tif 000004
【図４】
0003674540.tif 000005
【図５】
0003674540.tif 000006
【図６】
0003674540.tif 000007
【図７】
0003674540.tif 000008